(57)【要約】      （修正有）【課題】雨等の吹き込みを防止することが可能で安価なルーバー付障子を提供する。【解決手段】引き違いでスライド移動して開閉する障子が配設された窓の支持枠５０に用いられるルーバー付障子１００であって、ルーバー付障子１００の縦枠体はアングル材８０により構成され、所要間隔をあけて配置された２本のアングル材８０間に掛け渡されたルーバー板９０を高さ方向に所要間隔をあけて取り付ける。【選択図】図１
0003172351.tif 000002
【実用新案登録請求の範囲】
【請求項１】
引き違いでスライド移動して開閉する障子が配設された窓の支持枠に用いられるルーバー付障子であって、
前記ルーバー付障子の縦枠体はアングル材により構成され、所要間隔をあけて配置されていて、
前記２本のアングル材間に掛け渡されたルーバー板が高さ方向に所要間隔をあけて取り付けられていることを特徴とするルーバー付障子。
【請求項２】
前記アングル材は、一方の辺の内側面を室外側に向けると共に、他方の辺の内側面どうしを対向させるようにして配設されていることを特徴とする請求項1記載のルーバー付障子。
【請求項３】
前記アングル材に連結可能な２本のチャンネル材と、当該２本のチャンネル材に掛け渡されるチャンネル接続部材と、を組み立てることにより高さ調整部が形成されていて、
前記チャンネル材の室内側フランジ部には前記アングル材に対する前記高さ調整部の連結位置を調整するための調整用長孔が穿設され、
該調整用長孔を所要位置で貫通すると共に前記アングル材の一方の辺に貫通させて固定された締結材により前記アングル材に対する前記高さ調整部の連結位置が調整および維持可能に設けられていることを特徴とする請求項１または２記載のルーバー付障子。
【請求項４】
前記高さ調整部には、室外面側における開口部を遮蔽するための遮蔽板が取り付けられていて、
該遮蔽板は前記アングル材に対する前記高さ調整部の装着高さ位置にかかわらず、少なくとも最上部に位置する前記ルーバー板の一部と重複するように設けられていることを特徴とする請求項３記載のルーバー付障子。
【請求項５】
前記ルーバー板の下端縁側における所要高さ範囲部分は、前記ルーバー板の下端縁側に向って前記アングル材における一方の辺との取付部から徐々に室外側に離反する離反部に形成されていて、
前記窓の支持枠を正面視した際に、隣接する上側のルーバー板における前記離反部と下側のルーバー板における前記取付部とが高さ方向において一部重複する配置に設けられていることを特徴とする請求項１〜４のうちのいずれか一項記載のルーバー付障子。
【請求項６】
前記ルーバー板の前記アングル材における一方の辺との取り付け部分における平面と前記離反部とにより形成される角度が１５５°であることを特徴とする請求項５記載のルーバー付障子。
【請求項７】
発泡樹脂材により断面凹字形に形成されたガイド部が、上端および下端のうち少なくも一方に配設されていることを特徴とする請求項１〜６のうちのいずれか一項記載のルーバー付障子。
【考案の詳細な説明】
【技術分野】
【０００１】
本考案は、室内への通気を確保しつつも室内への雨の吹き込みを防止することが可能なルーバー付障子に関する。
【背景技術】
【０００２】
室内と室外との間で空気のみを窓部分から流通させようとする際には、網戸が広く用いられている。このように網戸を用いることにより、室内と室外との間での通気を確保しつつも室外から室内への虫等の侵入を防止することができる。
網戸が主に用いられる夏場においては、建物の上層階が屋根からの熱により室温が上昇しすぎてしまうため、上層階の窓は網戸にしたままの状態になっていることが多い。このような状態において不意に雨が降ると、風の状態によっては、雨が網戸から室内に吹き込んでしまい、室内が濡れてしまうことがあるといった不具合が問題になっていた。
【０００３】
このような問題点を鑑み、網戸からの雨の吹き込みを防ぐための吹き込み防止策が施された網戸がいくつか提案されている。このような網戸の構成としては、例えば特許文献１や特許文献２に開示されているようなものが知られている。
【先行技術文献】
【特許文献】
【０００４】
【特許文献１】実開平６−８２３９４号公報
【特許文献２】特開平１０−１８２４６号公報
【考案の概要】
【考案が解決しようとする課題】
【０００５】
特許文献１には、網戸の外側に複数の傾斜板を取り付けた構成が開示されている。具体的には、下向きに拡角させた状態で網戸の枠板に傾斜板を固定することで、雨等の吹き込みを防止することを可能にした網戸の構成が開示されている。
また、特許文献２には、網戸の外枠の外側に着脱可能な枠材の外面に、下向きに拡角させた状態の複数の雨よけ材を配設した網戸用雨よけ具の構成が開示されている。
【０００６】
これらのように特許文献１および特許文献２には、何れも網戸自体にいわゆるルーバー板と呼ばれる傾斜板を所定の状態で取り付けすることで網戸からの雨の吹き込みを防止する構成が開示されている。
しかしながらこれら特許文献１および特許文献２における構成では、網戸そのものに対するルーバー板の取り付け加工が必要になるため煩雑であり、網戸へのルーバー板の取り付け加工費用が高騰し、吹き込み防止を可能にした網戸を低コストで提供することが困難であるという課題がある。
【０００７】
そこで本考案は、雨等の吹き込みを防止することが可能なルーバー付障子を安価に提供することを目的としている。
【課題を解決するための手段】
【０００８】
上記課題を解決するために本考案者は鋭意研究を行った結果、以下の構成に想到した。
すなわち、引き違いでスライド移動して開閉する障子が配設された窓の支持枠に用いられるルーバー付障子であって、前記ルーバー付障子の縦枠体はアングル材により構成され、所要間隔をあけて配置されていて、前記２本のアングル材間に掛け渡されたルーバー板が高さ方向に所要間隔をあけて取り付けられていることを特徴とするルーバー付障子である。
【０００９】
また、前記アングル材は、一方の辺の内側面を室外側に向けると共に、他方の辺の内側面どうしを対向させるようにして配設されていることを特徴とする。これにより、ルーバー板をアングル材の他方の辺の幅内に収めることができるため、外観をすっきりとさせることができると共に、ルーバー板の端縁部が露出しないため、ルーバー板との接触による怪我の発生を防止することができる。
【００１０】
また、前記アングル材に連結可能な２本のチャンネル材と、当該２本のチャンネル材に掛け渡されるチャンネル接続部材と、を組み立てることにより高さ調整部が形成されていて、前記チャンネル材の室内側フランジ部には前記アングル材に対する前記高さ調整部の連結位置を調整するための調整用長孔が穿設され、該調整用長孔を所要位置で貫通すると共に前記アングル材の一方の辺に貫通させて固定された締結材により前記アングル材に対する前記高さ調整部の連結位置が調整および維持可能に設けられていることを特徴とする。これにより、ルーバー付障子の高さ寸法の微調整をすることができ、窓の支持枠の高さ寸法に合わせたルーバー付障子を取り付けすることができる。
【００１１】
また、前記高さ調整部には、室外面側における開口部を遮蔽するための遮蔽板が取り付けられていて、該遮蔽板は前記アングル材に対する前記高さ調整部の装着高さ位置にかかわらず、少なくとも最上部に位置する前記ルーバー板の一部と重複するように設けられていることを特徴とする。これにより、ルーバー付障子の高さ調節をした場合であっても、室外から室内への雨の侵入を確実に防ぐことができる。
【００１２】
また、前記ルーバー板の下端縁側における所要高さ範囲部分は、前記ルーバー板の下端縁側に向って前記アングル材における一方の辺との取付部から徐々に室外側に離反する離反部に形成されていて、前記窓の支持枠を正面視した際に、隣接する上側のルーバー板における前記離反部と下側のルーバー板における前記取付部とが高さ方向において一部重複する配置に設けられていることを特徴とする。
さらに、前記ルーバー板の前記アングル材における一方の辺との取り付け部分における平面と前記離反部とにより形成される角度が１５５°であることを特徴とする。
これらの構成を具備するルーバー付障子は、風の通過は許容しつつ、より確実に室外側から室内への雨の侵入を防ぐことができる。
【００１３】
また、発泡樹脂材により断面凹字形に形成されたガイド部が、上端および下端のうち少なくも一方に配設されていることを特徴とする。これにより、ルーバー付障子のスライド動作を円滑にするためのガイド部を安価に形成することができる。
【考案の効果】
【００１４】
本考案によれば、雨等の吹き込みを防止することが可能なルーバー付障子を安価に提供することが可能になる。
【図面の簡単な説明】
【００１５】
【図１】本実施形態におけるルーバー付障子を装着した状態の窓の支持枠を室内側から臨んだ正面図である。
【図２】本実施形態におけるルーバー付障子を室外側面から臨んだ正面図である。
【図３】本実施形態におけるルーバー付障子を室内側面から臨んだ正面図である。
【図４】高さ調整部の斜視図である。
【図５】縦枠部材の構造を示す斜視図である。
【図６】ルーバー板の取り付け状態を示す室外側からの拡大斜視図である。
【図７】図６中のＡ−Ａ線における断面図である。
【図８】本実施形態におけるルーバー付障子の下端部分を室外側から臨んだ正面図である。
【図９】図８中のＢ−Ｂ線における断面図である。
【考案を実施するための形態】
【００１６】
以下、本考案にかかるルーバー付障子の実施形態について図面に基づいて説明する。
図１に示すように本実施形態にかかるルーバー付障子１００は、引き違いで開閉可能な室外側障子１０および室内側障子２０と、網戸３０が組み込まれている窓の支持枠５０に取り付けて用いられる。支持枠５０には室外側から室内側に網戸３０、室外側障子１０、ルーバー付障子１００、室内側障子２０の順に取り付けられており、何れも支持枠５０に着脱自在である。本実施形態にかかるルーバー付障子１００は、室外側障子１０がスライドする障子用レールと同じ障子用レールに配設されている。
室外側障子１０、室内側障子２０、網戸３０、支持枠５０の構成はそれぞれ公知であるので、ここでは室外側障子１０、室内側障子２０、網戸３０、支持枠５０の詳細な構成についての説明は省略する。
【００１７】
ルーバー付障子１００は、図１，図２，図３のそれぞれに示すように、支持枠５０の上横枠に形成された図示しない障子用レールに沿ってスライド自在に設けられた上横枠体としての高さ調整部６０と、支持枠５０の下横枠に形成された図示しない障子用レールに沿ってスライド自在に設けられた下横枠体７０と、高さ調整部６０と下横枠体７０とをそれぞれ連結し、ルーバー付障子１００の縦枠体であるアングル材８０と、２本のアングル材８０，８０間に掛け渡すようにして取り付けられたルーバー板９０と、を有している。
【００１８】
高さ調整部６０は図４に示すように、ルーバー付障子１００におけるアングル材８０に連結可能な上側縦枠部材としての２本のチャンネル材６４と、２本のチャンネル材６４間に掛け渡される上側横枠部材としてのチャンネル接続部材６２とをコの字状に組み立てることにより形成されている。本実施形態におけるチャンネル接続部材６２は、アルミ合金製のチャンネル材からなる。チャンネル接続部材６２とチャンネル材６４とはビス留め等により一体に組み立てられている。チャンネル接続部材６２の上端（上端面）には窓の支持枠５０のガイドレールに沿わせるためのガイド部６２Ａが取り付けられている。本実施形態におけるガイド部６２Ａは断面形状が凹状をなす発泡樹脂材からなるブロック体により形成されている。ガイド部６２Ａの凹部にガイドレールの先端が進入可能になっていることはもちろんである。発泡樹脂材としては公知の材料を適宜用いればよい。このように形成された発泡樹脂材からなるブロック体はチャンネル接続部材６２の上面に接着剤を介して取り付けられている。また、高さ調整部６０の上側角部には合成樹脂製の保護カバー６１が接着等により装着されている。
【００１９】
高さ調整部６０のチャンネル材６４の室内側に位置するフランジ部には、チャンネル材６４の延長方向にのびる調整用長孔６５が穿設されており、高さ調整部６０は、後述するアングル材８０へのチャンネル材６４の連結位置をネジ等の締結具Ｎを用いて調整することで、ルーバー付障子１００の高さ寸法の調整を可能にしている。締結具Ｎは、室内側から取り付けされている。
また、チャンネル接続部材６２の室外側に位置するフランジ部には、後述するルーバー板９０と同じ材料で形成された遮蔽板６３が取り付けられている。遮蔽板６３はビス留め等により取り付けすることができる。遮蔽板６３は、高さ調整部６０の高さ方向において上側半分程度の高さ範囲を遮蔽するようにして設けられている。このような遮蔽板６３を採用することで、アングル材８０への高さ調整部６０の装着高さ位置にかかわらず、少なくとも最上部に位置するルーバー板９０の一部と高さ方向で重複させることができる。
【００２０】
ルーバー付障子１００のアングル材８０は、図５に示すように一方の辺８２よりも他方の辺８４の方が長尺に形成されたアングル材８０により形成されている。
アングル材８０は、一方の辺８２が窓の支持枠５０内におけるルーバー付障子１００のスライド方向（窓の支持枠５０により形成された開口面）と平行となるように配設され、内側面８２Ａを室外側へ向け、他方の辺８４の内側面８４Ａどうしを対向させる配置としている。２本のアングル材８０，８０には、互いの一方の辺８２，８２の内側面８２Ａ，８２Ａどうしを掛け渡すようにしてルーバー板９０が取り付けられている。ルーバー板９０は接着等の公知の方法によりアングル材８０に取り付けることができる。
【００２１】
このようにして取り付けられたルーバー板９０は、アングル材８０の高さ方向に所要間隔をあけて取り付けられている。
このようにして簡易な構成のルーバー付障子１００を提供することができる。このような簡易構造のルーバー付障子１００は、２階以上の階層に設けられた窓の保持枠５０に適用することが好適である。
【００２２】
ルーバー板９０は図６および図７に示すように、アングル材８０の一方の辺８２への取り付け部分となる取付部９０Ａと、ルーバー板９０の下側範囲において室外側へ徐々に離反する離反部９０Ｂとを有するへ字状をなしている。本実施形態においては、取付部９０Ａと離反部９０Ｂとの屈曲角度（取付部９０Ａと離反部９０Ｂとにより形成される角度）を１５５°とした。図６に示すように、このような屈曲形状のルーバー板９０を用いた場合においては、アングル材８０の他方の辺８４の幅寸法内にルーバー板９０が収められた状態になっているため、ルーバー板９０の端縁部へ不意に接触すること等による怪我の発生を抑えることができるため好都合である。
【００２３】
また、図７からも明らかなように、上下に隣接するルーバー板９０，９０，９０・・・は、上側のルーバー板９０の離反部９０Ｂの下側端縁の高さ位置が、下側のルーバー板９０の取付部９０Ａの上側端縁の高さ位置よりも下方側位置となるように設けられている。このように上下に隣接するルーバー板９０どうしをルーバー板９０の高さ方向の一部を重複させることで、窓の支持枠５０に対するルーバー付障子１００の設置面を正面視した際に、上下のルーバー板９０，９０どうしの一部がルーバー付障子１００の奥行き方向に二重に配設されることになり、室外から室内への雨の侵入を確実に防止することができる。一方、室外から室内へ吹く風については、上下に隣接するルーバー板９０，９０の間にある通風部９３で通過可能であるのは明らかである。
【００２４】
下横枠体７０は、図８および図９に示すように、アングル材８０の下側端部に取り付けられている。本実施形態における下横枠体７０は、アングル材により形成されていて、一方の辺７０Ａをアングル材８０の室内側部分（一方のアングル材８０の一方の辺８２）に取り付け、ルーバー付障子１００の下端（底面）となる他方の辺７０Ｂには、支持枠５０の障子用レールを挟持させ、ルーバー付障子１００のスライド移動をガイドするためのガイド部７２が取り付けられている。ガイド部７２は高さ調整部６０に取り付けられているガイド部６２と同様にして形成することができる。図９からも明らかなように、本実施形態における下横枠体７０には、ルーバー板も遮蔽板も取り付けられていない。アングル材８０に取り付けられた最下部に位置するルーバー板９０の離反部９０Ｂの下端縁と他方の辺７０Ｂの上面との間には隙間７３が形成されている。また、下横枠体７０とアングル材８０との交差部の外側面には合成樹脂製の保護カバー７１が装着されている。
【００２５】
以上に説明した高さ調整部６０を、下横枠体７０が取り付けられているアングル材８０に連結させれば、図２，図３に示すルーバー付障子１００を得ることができる。高さ調整部６０とアングル材８０との連結を行う際には、高さ調整部６０のチャンネル材６４へのアングル材８０の挿入量を調整してルーバー付障子１００の高さ寸法を決定した後、チャンネル材６４に穿設されている調整用長孔６５の所要位置にネジ等の締結具Ｎを差し込み、アングル材８０の一方の辺８２を貫通させるようにして締結することでネジ頭とチャンネル材６４との摩擦力により高さ調整部６０をアングル材８０に固定することができる。
もし、ルーバー付障子１００の高さ寸法を調整する必要がある場合には、締結部材Ｎを緩めてネジ頭をチャンネル材６４の表面から離反させ、高さ調整部６０を調整用長孔６５に沿ってスライド移動させた後、再度締結具Ｎを締め付けすればよい。
【００２６】
以上、本考案にかかるルーバー付障子１００について実施形態に基づき詳細に説明をしたが、本考案におけるルーバー付障子１００は以上で説明した実施形態に限定されるものではなく、本考案の要旨を変更しない範囲において適宜変更がなされたとしても本考案の技術的範囲に属するのはもちろんである。例えば、以上の実施形態においては、ルーバー付障子１００の上横枠体を高さ調整部６０とした実施形態について説明しているが、高さ調整部６０の構成と下横枠体７０の構成と入れ替えることにより、下横枠体７０に高さ調整部としての構成を実現させることも可能である。
【００２７】
また、以上の実施形態においては、アングル材やチャンネル材について具体的な材料を明示していないものがあるが、強度や重量の観点からアルミニウム合金製のアングル材やチャンネル材を用いることが好適である。アルミニウム合金製以外にはいわゆるエンジニアリングプラスチックと称される合成樹脂により形成されたアングル材やチャンネル材を用いることも可能である。
【００２８】
また、ガイド部６２Ａ，７２は、発泡樹脂材により断面形状が凹状をなすブロック体を用いた実施形態について説明しているが、発泡樹脂材により直方体に形成されたブロック体を用いて断面形状が凹状をなすようにしてガイド部６２Ａ，７２を形成する形態を採用することもできる。また、ガイド部６２Ａ，７２は、上端および下端のうちいずれか一方のみに配設するようにしてもよい。
これらの形態によれば、発泡樹脂材からなるブロック体の製造コストが低減し、さらなる低コスト化に貢献することができる点において好都合である。
【符号の説明】
【００２９】
１０  室外側障子
２０  室内側障子
３０  網戸
５０  支持枠
６０  高さ調整部（上横枠体）
６１，７１  保護カバー
６２  チャンネル接続部材（上側横枠部材）
６２Ａ，７２  ガイド部
６３  遮蔽板
６４  チャンネル材（上側縦枠部材）
６５  調整用長孔
７０  下横枠体
７３  隙間
８０  アングル材（縦枠体）
８２  一方の辺
８２Ａ  一方の辺の内側面
８４  他方の辺
８４Ａ  他方の辺の内側面
９０  ルーバー板
９０Ａ  取付部
９０Ｂ  離反部
９３  通風部
１００  ルーバー付障子
Ｎ  締結具
【図１】
0003172351.tif 000003
【図２】
0003172351.tif 000004
【図３】
0003172351.tif 000005
【図４】
0003172351.tif 000006
【図５】
0003172351.tif 000007
【図６】
0003172351.tif 000008
【図７】
0003172351.tif 000009
【図８】
0003172351.tif 000010
【図９】
0003172351.tif 000011